(57)【特許請求の範囲】
【請求項１】
複数の信号線および複数の走査線と、前記走査線および前記信号線の交差部の近傍にそれぞれ設けられ、前記信号線および前記走査線に接続される複数のスイッチング素子と、これら複数のスイッチング素子のそれぞれに接続される複数の画素電極とを有する第１の基板と、
複数の画素電極に対向して設けられる共通電極を有する第２の基板と、
前記第１の基板および第２の基板の間に封止される液晶材料と、
前記共通電極に対して、平均値が一定となるように電位を振幅させて付与する共通電極駆動部であって、画像の描画に用いられる垂直同期信号に基づくタイミングで前記電位を周期的に変化させる共通電極駆動部とを含み、
前記共通電極は、複数の部位で前記共通電極駆動部に電気的に接続され、かつ、これら複数の部位は互いに絶縁されており、
前記共通電極駆動部は、前記各部位にそれぞれ対応する電位を生成して与えるために、前記各部位に対して、与えるべき電位の最大値および最小値をそれぞれ予め設定し、前記各部位にそれぞれ対応する電位を、該最小値以上かつ該最大値以下の範囲内で生成して、前記各部位に生成した電位を与え、前記各部位の電位の平均値を該最大値と該最小値との中間値で一定にし、
前記共通電極駆動部は、前記各部位の電位が最大値となるタイミング、および、前記各部位の電位が最小値となるタイミングが重ならないように、前記各部位に付与する電位を周期的に変化させることを特徴とする液晶表示装置。
【発明の詳細な説明】
【技術分野】
【０００１】
本発明は、複数の画素電極と、複数の画素電極に対向する共通電極とを含むアクティブマトリクス型の液晶表示装置に関する。
【背景技術】
【０００２】
液晶表示装置では、同じ画像を長時間表示した場合に長期にわたり表示に残像が残ってしまうことがあるため、これを回避するために交流駆動しているが、交流駆動を行う場合においても、同じ階調を表示する際に印加する電圧の＋側と−側の中間に共通電極の電位を調整しないと、前記残像が生じたり、フリッカが生じたりする。このため液晶表示装置の製造工程ではフリッカが最小になるように共通電極の電位の調整を行い、それぞれの液晶表示装置に最適な電位にすることによって、長期残像が生じたり、フリッカが生じたりするなどの不具合を回避している。
【０００３】
しかしながら実際には前記共通電極の電位を、同じ階調を表示する際に印加する電圧の＋側と−側の中間に調整しても、この電位は、スイッチ素子であるトランジスタのゲートドレイン間の容量（Ｃｇｄ）およびその他寄生容量の影響でずれてしまう。これを突き抜け電圧Ｖｐｄという。このため共通電極の電位は、表示面を目視またはフリッカの測定機でフリッカが最小なるように調整される。
【０００４】
従来の技術では、画素電極およびスイッチ素子と同一のガラス基板上に形成されるダミーのＴＦＴを用いてＣｇｄの計測を行って、計測されたＣｇｄに応じて共通電極の電位を調整している（たとえばと居文献１参照）。
【０００５】
【特許文献１】特開２００３−２８０６０２号公報
【発明の開示】
【発明が解決しようとする課題】
【０００６】
従来の技術では、表示面の全領域においてＣｇｄが一様であることが前提となっている。しかしながら液晶表示装置の大型化に伴い、配線容量の増大など面で、表示面の全領域におけるＣｇｄの均一性を保つことは非常に難しくなっている。また製造プロセスが安定しない場合、基板の歪みが発生している場合などによっても、Ｃｇｄが表示面の全領域において一様ではなくなってしまう。現実的には、表示面の全領域におけるＣｇｄを完全に均一にすることはできないので、液晶材料に直流（ＤＣ）成分が加わってしまい、液晶材料はＤＣ成分が印加されるとイオン分離が進んでしまい、長期残像が生じてしまうという問題がある。
【０００７】
したがって本発明の目的は、大型化しても、表示品位を損なうことなく長期残像を緩和することができる液晶表示装置を提供することである。
【課題を解決するための手段】
【０００８】
本発明は、複数の信号線および複数の走査線と、前記走査線および前記信号線の交差部の近傍にそれぞれ設けられ、前記信号線および前記走査線に接続される複数のスイッチング素子と、これら複数のスイッチング素子のそれぞれに接続される複数の画素電極とを有する第１の基板と、
複数の画素電極に対向して設けられる共通電極を有する第２の基板と、
前記第１の基板および第２の基板の間に封止される液晶材料と、
前記共通電極に対して、平均値が一定となるように電位を振幅させて付与する共通電極駆動部であって、画像の描画に用いられる垂直同期信号に基づくタイミングで前記電位を周期的に変化させる共通電極駆動部とを含み、
前記共通電極は、複数の部位で前記共通電極駆動部に電気的に接続され、かつ、これら複数の部位は互いに絶縁されており、
前記共通電極駆動部は、前記各部位にそれぞれ対応する電位を生成して与えるために、前記各部位に対して、与えるべき電位の最大値および最小値をそれぞれ予め設定し、前記各部位にそれぞれ対応する電位を、該最小値以上かつ該最大値以下の範囲内で生成して、前記各部位に生成した電位を与え、前記各部位の電位の平均値を該最大値と該最小値との中間値で一定にし、
前記共通電極駆動部は、前記各部位の電位が最大値となるタイミング、および、前記各部位の電位が最小値となるタイミングが重ならないように、前記各部位に付与する電位を周期的に変化させることを特徴とする液晶表示装置である。
【発明の効果】
【００１２】
本発明によれば、共通電極駆動部が、共通電極に対して、平均値が一定となるように電位を振幅させて付与するので、フリッカの発生を抑制しつつも、液晶材料のうち直流バイアスが常に印加される部分の発生を抑制することができる。これによって液晶表示装置が大型化しても、直流成分が印加される領域を低減することができ、表示品位を損なうことなく長期残像を緩和することができる。
【発明を実施するための最良の形態】
【００１３】
図１は、液晶表示装置１の構成を模式的に示す図である。図２は、液晶表示装置１が備える液晶表示パネル２の一部の構成を模式的に示す図である。液晶表示装置１は、液晶表示パネル２と、液晶モジュール制御回路部３と、ソースドライバ部４と、ゲートドライバ部５とを含んで構成される。
【００１４】
液晶表示パネル２は、アクティブマトリクス型の液晶表示パネルによって実現される。液晶表示パネル２は、画素電極１１が形成される第１の基板１２と、対向電極である共通電極１３が形成される第２の基板１４と、第１および第２の基板１２，１４の間に封止される液晶材料とを含んで構成される。第１および第２の基板１２，１４の液晶材料に臨む面とは反対側の面上には、それぞれ偏向板が設けられる。第１および第２の基板１２，１４は、透光性を有し、かつ電気絶縁性を有し、たとえばガラスによって形成されている基材を有する。第１および第２の基板１２，１４の基材は直方体形状に形成され、略等しい大きさに形成されている。画素電極１１および共通電極１３は、透光性を有し、たとえばＩＴＯ（酸化インジウム錫）膜によって形成される。
【００１５】
第１の基板１２には、複数の画素電極１１がマトリクス状に形成されている。これらの各画素電極１１に、スイッチング素子であるＴＦＴ１６がそれぞれ接続される。このＴＦＴ１６のゲート電極Ｇに走査信号を供給するための走査線であるゲート配線１８が接続され、ソース電極Ｓに表示信号を供給するための信号線であるソース配線１９が接続される。ＴＦＴ１６のドレイン電極Ｄは、画素電極１１と負荷容量２２の一方電極とに接続され、この負荷容量２２の他方電極は共通電極１３に含まれている。ゲート電極Ｇに入力される走査信号によってＴＦＴ１６が駆動制御される。ＴＦＴ１６の駆動時には、ＴＦＴ１６およびドレイン電極Ｇを介して、表示信号が画素電極１１に入力される。また上記各ゲート配線１８と各ソース配線１９とは、マトリクス状に配列された画素電極１１の周囲を、互いに直交差して形成され、この交差部では、ゲート配線１８とソース配線１９との間にゲート絶縁層が介在され、ゲート配線１８とソース配線１９とが電気的に絶縁される。このようにＴＦＴ１６は、複数のゲート配線１８と複数のソース配線１９との交差部の近傍にそれぞれ設けられている。
【００１６】
第２の基板１４の共通電極１３は、第１の基板１２に臨んで設けられ、複数の画素電極１１に対向して設けられる。また第２の基板１４には、各画素電極１１に対向する位置にカラーフィルタ部がそれぞれ設けられ、各カラーフィルタ部の間には、ブラックマトリクス部が設けられている。カラーフィルタ部は、赤（Ｒ）、緑（Ｇ）および青（Ｂ）のフィルタであって、各フィルタ部は所定の配列状態で設けられる。
【００１７】
共通電極１３は、第１および第２の基板１２，１４間に設けられるコモン転移部２３に接続される。第１の基板１２には、コモン転移部２３に接続されるコモン接続配線（図示せず）が形成される。コモン転移部２３は、前記コモン接続配線に接続されて、コモン接続配線を介して所定の電位が与えられる。コモン転移部２３は、表示領域外に設けられ、本形態のように第１および第２の基板１２，１４は直方体形状である場合には、たとえば第１および第２の基板１２，１４の相互に対向する矩形状の表面の４隅にそれぞれ設けられる。ゲート配線１８、ソース配線１９、コモン転移部２３、コモン接続配線は、それぞれ導電性を有する金属材料から成る。
【００１８】
液晶モジュール制御回路部３は、モニタ回路２５から与えられるＬＶＤＳ（Low
Voltage Differential Signal）に基づいて、ソースドライバ部４に表示信号を与え、ゲートドライバ部５に走査信号を与える。液晶モジュール制御回路部３は、ＬＶＤＳデコータ（ＬＶＤＳ Decoder）３１と、タイミングコントローラ（Timing Controller）３２と、クロックカウンタ（ＣＬＫ Counter）３３と、ＭＰＵ（Micro Processing Unit）３４と、デジタルアナログコンバータ（ＤＡＣ）３５と、アンプ（ＡＭＰ）部３６と、データコントローラ（Data Controller）３７とを含んで構成される。
【００１９】
ＬＶＤＳデコータ３１は、ＬＶＤＳを、データ（ＤＡＴＡ）信号と、ディスプレイイネーブル（Display Enable；ＤＥ）信号と、クロック（ＣＬＫ）信号とに変換して出力する。ＤＡＴＡ信号は、タイミングコントローラ３２に与えられ、ＤＥ信号と、ＣＬＫ信号とは、クロックカウンタ３３に与えられる。
【００２０】
タイミングコントローラ３２は、データ信号から表示信号および走査信号を生成して、表示すべきタイミングにあわせて、表示信号をデータコントローラ３７に与え、走査信号をゲートドライバ部５に与える。
【００２１】
クロックカウンタ３３は、ＤＥ信号と、ＣＬＫ信号とから、垂直同期信号（Vertical
Synchronizing signal；略称ＶＳＹＮＣ）を生成して、ＭＰＵ３４に与える。クロックカウンタ３３の動作については、後述する図５のフローチャートの説明において詳細に述べる。
【００２２】
ＭＰＵ３４は、マイクロコンピュータであって演算処理部と、記憶部３８を備える。記憶部３８には予め定めるプログラムが記憶されており、ＭＰＵ３４は、記憶部３８に記憶されるプログラムを演算処理部によって実行処理することによって動作する。また記憶部３８には、共通電極１３に与えるべき電位の最大値（Ｖ_ＭＡＸ）と、最小値（Ｖ_ＭＩＮ）と情報が記憶されている。以下、共通電極１３に与えるべき電位の最大値を、Ｖ_ＭＡＸと記載し、共通電極１３に与えるべき電位の最小値を、Ｖ_ＭＩＮと記載する。ＭＰＵ３４は、クロックカウンタ３３から与えられる垂直同期信号と、記憶部３８に記憶される前記情報とに基づいて、共通電極１３に与えるべき電位を表す電位信号を出力する。ＭＰＵ３４は、Ｖ_ＭＡＸと、最小値Ｖ_ＭＩＮとの間の範囲で、平均値が一定となるように電位を振幅させて共通電極１３に付与するための前記電位信号を出力する。この電位信号は、デジタル信号で表され、ＤＡＣ３５に与えられる。
【００２３】
またＭＰＵ３４は、Ｖ_ＭＡＸと、Ｖ_ＭＩＮと間の範囲で、複数の異なる電位が与えられるように、たとえばＶ_ＭＡＸとＶ_ＭＩＮとの間の範囲を、電位差が均等となるように４つの段階に分けたときの各電位を、経時的に切り換えて共通電極１３に付与するように、前記電位信号を出力する。ＭＰＵ３４の動作処理については、後述する図６のフローチャートの説明において詳細に述べる。
【００２４】
ＤＡＣ３５は、デジタル信号で表される電位信号をアナログ信号に変換してＡＭＰ部３６に与える。ＡＭＰ部３６は、アナログ信号に変換された電位信号を増幅してソースドライバ部４に与える。ＤＡＣ３５は、ＭＰＵ３４とともに共通電位生成部を構成する。またＭＰＵ３４、ＤＡＣ３５およびＡＭＰ部３６を含んで共通電極駆動部が構成される。共通電極駆動部には、ソースドライバ部４が含まれていてもよい。
【００２５】
データコントローラ３７は、タイミングコントローラ３２から与えられる表示信号に基づいて、各信号線毎に対応する表示信号を生成して、ソースドライバ部４に与える。
【００２６】
ソースドライバ部４は、ＡＭＰ部３６から与えられる電位信号をコモン接続配線に与え、またデータコントローラ３７から与えられる各信号線毎に対応する表示信号を、各ソース配線１９にそれぞれ与えることによって、表示信号に応じた電位が画素電極１１に付与される。ソースドライバ部４は、データコントローラ３７から与えられる各信号線毎に対応する表示信号に応じて、１フレームごとに、共通電極１３の電位に関してプラス（＋）側とマイナス（−）側とに電位が交互に入れ替わるような表示信号を各ソース配線１９に与える。
【００２７】
ゲートドライバ部５は、タイミングコントローラ３２から与えられる走査信号に基づいて、各走査線毎に対応する走査信号を生成して、生成した走査信号を各ゲート配線１８にそれぞれ与える。
【００２８】
ソースドライバ部４によってソース配線１９に表示信号が与えられ、またコモン接続配線に電位信号が与えられ、さらにゲートドライバ部５によって、ゲート配線１８に走査信号が与えられることによって、液晶材料のうち、所定の画素電極１１と、共通電極１３との間に挟まれる部分に電圧を印加して、所望の表示を行うことができる。
【００２９】
次にＶ_ＭＡＸと、Ｖ_ＭＩＮとを決定して、記憶部３８にＶ_ＭＡＸと、Ｖ_ＭＩＮとの情報を記憶する手順について説明する。図３は、Ｖ_ＭＡＸと、Ｖ_ＭＩＮを設定する設定装置における動作手順を示すフローチャートである。設定装置は、前記液晶モジュール制御回路部３にＬＶＤＳを与え、ＭＰＵ３４を制御して、液晶表示パネル２に所定の画像を表示させることができ、またフリッカ測定装置と、グランド電位を基準として共通電極１３に印加される電圧を測定する電圧測定装置とを備える。また設定装置は、動作手順を行うための制御プログラムを実行して、液晶モジュール制御回路部３にＬＶＤＳを与え、ＭＰＵ３４、フリッカ測定装置および電圧測定装置を制御するマイクロコンピュータを備える。また図４は、フリッカを調整する際の測定位置について示す図である。
【００３０】
処理を開始すると、ステップａ０からステップａ１に移る。ステップａ１において設定装置のマイクロコンピュータは、液晶モジュール制御回路部３にＬＶＤＳを与え、ＭＰＵ３４を制御して、液晶表示パネル２にフリッカ調整用パターンを表示させる。
【００３１】
次にステップａ２に移り、設定装置のマイクロコンピュータによってＭＰＵ３４を制御して、共通電極１３に与えられる電位ＶＣＯＭを調整しながら、複数の予め定める測定位置のうちの一つで、フリッカが最小になるときのグランド電位に対する電圧（ＤＣ）値をフリッカ測定装置および電圧測定装置によって測定する。予め定める測定位置は、たとえば図４に示す液晶表示パネル２の矩形状の表示面３９のうち、この表示面３９を長手方向および短手方向にそれぞれ平行な直線によって４等分した各領域の中央部（Ａ１），（Ａ２），（Ａ３），（Ａ４）と、この表示面３９の中央部（Ａ５）とである。
【００３２】
次にステップａ３に移り、設定装置のマイクロコンピュータによって、予め定める測定位置の全てについて、その測定位置でのフリッカが最小となるときの電圧値の測定を行ったか否かを判断する。ステップａ３で、測定を行ったと判断したときは、ステップａ４に移り、まだ測定を行ってないと判断したときには、ステップａ２に移り、まだ測定していない測定位置において、その測定位置でのフリッカが最小となるときの電圧値の測定が行われる。
【００３３】
ステップａ４では、設定装置のマイクロコンピュータが、ステップａ２で測定された電圧値のうち、最も大きな電圧値が表すグランド電位に対する電位をＶ_ＭＡＸとし、最も小さな電圧値が表すグランド電位に対する電位をＶ_ＭＩＮとして、Ｖ_ＭＡＸおよびＶ_ＭＩＮの情報をＭＰＵ３４の記憶部３８に記憶させて、ステップａ５に移り処理を終了する。
【００３４】
ここでは、設定装置によってＶ_ＭＡＸおよびＶ_ＭＩＮの情報を設定する場合について説明しているが、作業者が目視によってフリッカが最小になるときの電圧値を電圧測定装置によって測定して、このように測定した電圧値に応じて、作業者が入力装置を用いて、Ｖ_ＭＡＸおよびＶ_ＭＩＮの情報をＭＰＵ３４の記憶部３８に記憶させてもよい。
【００３５】
図５は、ＶＳＹＮＣを生成するクロックカウンタ３３の動作処理を示すフローチャートである。電源が投入されると、ステップｂ０からステップｂ１に移り、ステップｂ１では初期化を行う。初期化では、クロックカウント数を０とし、出力するＶＳＹＮＣの信号レベルをＬレベルにしておく。
【００３６】
次にステップｂ２に移り、ＣＬＫ信号の立ち上がりを検出すると、ステップｂ３に移る。ステップｂ３では、ブランキング期間かどうかを判断する。ブランキング期間かどうかは、ＤＥ信号が、ディスイネーブル（Disenable）であるかどうかによって判断する。ここでブランキング期間であると判断する、すなわちＤＥ信号がディスイネーブルであると判断すると、ステップｂ４に移り、カウンタをカウントアップして、ステップｂ５に移る。
【００３７】
ステップｂ５では、ブランキング期間が、水平帰線期間以上であるか否かを判断する。ステップｂ５では、ブランキング期間の間にカウントされたカウント数と、予め定める数とを比較する。予め定める数は、カウント数が水平帰線期間以上となるときのカウント数に選ばれている。ステップｂ５で、ブランキング期間が水平帰線期間以上であると判断すると、ステップｂ６に移り、出力するＶＳＹＮＣの信号レベルをＨレベルにして、ステップｂ２に移る。
【００３８】
前述したステップｂ３において、ブランキング期間ではないと判断する、すなわちＤＥ信号が、イネーブル（Enable）であると判断すると、ステップｂ７に移る。ステップｂ７では、クロックカウンタのカウント値を０にし、出力するＶＳＹＮＣをＬレベルにして、ステップｂ２に移る。このようにして、クロックカウンタ３３はＶＳＹＮＣを生成し、１フレーム分の画像データを受け取るごとに、出力する信号レベルをＬレベルからＨレベルに変化させる。
【００３９】
ＭＰＵ３４では、ＶＳＹＮＣの信号レベルが変化することによって、フレームが切り換わるときを判断することができ、ＶＳＹＮＣに応じて、すなわちフレームが切り換るときに、共通電極１３に対して付与する電位を変化させる。
【００４０】
図６は、ＭＰＵ３４の動作処理を示すフローチャートである。ＭＰＵ３４は、変動周期カウンタとして機能し、本形態では１〜４までの数をカウント可能に構成されている。電源を投入して処理を開始すると、ステップｃ０からステップｃ１に移る。ステップｃ１では、パラメータを初期化して、ステップｃ２に移る。パラメータを初期化では、カウントするカウント数を予め定める数に設定し、共通電極１３に付与する電位をプラス方向に変動させるか、マイナス方向に変動させるかを設定する。カウント数および変動方向に関する情報は、記憶部３８に記憶されている。
【００４１】
ステップｃ２では、ＹＳＹＮＣの信号レベルが立ち上がったか、すなわちＬレベルからＨレベルになったか否かを判断する。ステップｃ２で、立ち上がったと判断すると、ステップｃ３に移り、立ち上がっていないと判断すると、立ち上がったと判断するまでステップｃ２を繰り返す。
【００４２】
ステップｃ３では、現在の設定が、共通電極１３に付与する電位をプラス方向に変動させる設定になっているか否かを判断する。ステップａ３で、プラス方向に変動させる設定になっていると判断すると、ステップｃ４に移り、プラス方向に変動させる設定になっていないと判断すると、ステップｃ５に移る。
【００４３】
ステップｃ４では、電位信号の現在の出力値に変動値を加算して生成される新たな電位信号を出力して、ステップｃ６に移る。ステップｃ５では、電位信号の現在の出力値に変動値を減算して生成される新たな電位信号を出力して、ステップｃ６に移る。ここで変動値は、Ｖ_ＭＡＸからＶ_ＭＩＮを減算して、４等分した電位に対応する値である。
【００４４】
ステップｃ６では、カウントアップし、記憶部３８にカウント数の情報を上書きして、ステップｃ７に移る。ステップｃ７では、カウント数がフルになっているか否か、すなわちカウント数が４であるか否かを判断する。ステップｃ６でカウント数がフルになってはいないと判断すると、ステップｃ２に移り、カウント数がフルになっていると判断すると、ステップｃ８に移る。
【００４５】
ステップｃ８では、変動方向の極性を反転し、すなわち共通電極１３に付与する電位をプラス方向に変動させる設定になっていればマイナス方向に変動させる設定とし、マイナス方向に変動させる設定になっていればプラス方向に変動させる設定として、ステップｃ９に移る。ステップｃ９では、カウンタを初期化し、すなわちカウント数を「０」にして、ステップｃ２に移る。
【００４６】
図７は、カウント数と、ＶＳＹＮＣおよび共通電極１３に与えられる電位（ＶＣＯＭ）の波形とを示すタイミングチャートである。図６に示すフローチャートに従ってＭＰＵ３４が動作すると、図７に示すようなＶＣＯＭが、共通電極１３に与えられることになる。ＭＰＵ３４は、共通電極１３に付与する電位をプラス方向に変動させる設定になっており、時刻ｔ０で、ＶＳＹＮＣの信号レベルが立ち上がったときに、カウント数が「２」となり、ＶＣＯＭをＶ_ＭＡＸおよびＶ_ＭＩＮの平均値（Ｖ_ＡＶＥ）とするような電位信号を出力しているとすれば、次にＶＳＹＮＣの信号レベルが立ち上がると、カウント数は「３」となり、ＶＣＯＭをＶ_ＭＡＸおよびＶ_ＡＶＥの平均値とするような電位信号を出力する。またＭＰＵ３４は、カウント数が「４」になると、ＶＣＯＭの変動方向が反転するように設定し、かつカウント数を初期化して「０」にし、現在のＶＣＯＭがＶ_ＭＡＸであれば、次にＶＳＹＮＣの信号レベルが立ち上がったときに、ＶＣＯＭをＶ_ＭＡＸおよびＶ_ＡＶＥの平均値に変更し、現在のＶＣＯＭがＶ_ＭＩＮであれば、次にＶＳＹＮＣの信号レベルが立ち上がったときに、ＶＣＯＭをＶ_ＭＩＮおよびＶ_ＡＶＥの平均値にして、カウント数を「１」にする。
【００４７】
ＭＰＵ３４は、ＶＣＯＭを変化させる予め定める周期Ｔ１を、ここではＶＳＹＮＣが初めに立ち上がってから９回目に立ち上がるまでの期間とする。ＶＳＹＮＣの信号レベルが立ち上がる周期は一定であり、カウント数に応じて前述したようにＶＣＯＭを変動させることによって、共通電極１３に付与される電位の平均値を一定とすることができる。
【００４８】
液晶表示装置１では、共通電極駆動部が、共通電極１３に対して、平均値が一定となるように電位を振幅させて付与するので、フリッカの発生を抑制しつつも、液晶材料のうち直流バイアスが常に印加される部分の発生を抑制することができる。これによって、液晶表示装置１が大型化しても、直流成分が印加される領域を低減することができ、表示品位を損なうことなく長期残像を緩和することができる。また共通電極１３に印加する電位を予め定める周期Ｔ１で周期的に変化させるので、直流バイアスが予め定める周期Ｔ１を超えて液晶材料に印加されてしまうことが抑制される。予め定める周期Ｔ１は、たとえば数フレームから数十フレームの画像データを表示する期間に選ばれ、このような短い周期で共通電極１３に印加する電位の変動を繰り返すことによって、長期残像の緩和に関する信頼性を向上させることができる。
【００４９】
さらに共通電極駆動部が電位を変化させるタイミングが、画像の描画に用いられる垂直同期信号に基づくので、１フレームの画像を表示している最中に共通電極１３の電位が変動してしまうことがなく、したがって共通電極１３の電位を変動させても、表示されている急激に画像の色が変化してしまうことを抑制することができ、表示品位の低下を抑制することができる。
【００５０】
また液晶表示装置１では予め定める周期Ｔ１内で、共通電極１３に与える電位の増加と減少とが徐々に行われることによって、画像の色の変化が目立ってしまうことがない。本形態では、ＶＣＯＭを４段階に変化させているが、ＶＣＯＭは複数段階に変化させる構成であればよく、Ｖ_ＭＡＸおよびＶ_ＭＩＮの差が小さい場合には、２段階に変化させてもよく、Ｖ_ＭＡＸおよびＶ_ＭＩＮは、４段階以上に変化させてもよい。
【００５１】
図８は、液晶表示装置におけるＭＰＵの動作処理を示すフローチャートである。本液晶表示装置は、前述した図１に示す液晶表示装置１に類似し、ＭＰＵ３４の動作処理が異なるのみであって、他の構成は液晶表示装置１と同様であるので、同様の構成については同様の参照符号を付してその説明を省略し、異なる部分について説明する。本形態においてＭＰＵ３４は、カウンタ機能に代えて、乱数を生成する乱数生成機能を有し、最大値がＭまでの正の整数をランダムに生成することができる。また記憶部３８には、カウント数および変動方向に関する情報に代えて、乱数に関する情報が記憶されている。
【００５２】
電源を投入して処理を開始すると、ステップｄ０からステップｄ１に移る。ステップｄ１では、パラメータを初期化して、ステップｄ２に移る。パラメータの初期化では、記憶部３８に記憶されている乱数を表す情報を初期化する。前記最大値のＭは、Ｖ_ＭＡＸお
よびＶ_ＭＩＮの差に応じて決定され、本形態では、たとえば４に選ばれ、Ｖ_ＭＡＸおよびＶ_ＭＩＮの差が大きくなるほど大きな数に設定されるのが好ましい。
【００５３】
ステップｄ２では、ＹＳＹＮＣの信号レベルが立ち上がったか、すなわちＬレベルからＨレベルになったか否かを判断する。ステップｄ２で、立ち上がったと判断すると、ステップｄ３に移り、立ち上がったと判断するとステップｄ２を繰り返す。
【００５４】
ステップｄ３では、乱数を生成して、ステップｄ４に移る。ここで乱数をＺで表す。生成される乱数は、最大値がＭまでの正の整数のいずれかとなり、ここでは１〜４のいずれかの数となる。
【００５５】
ステップｄ４では、共通電極１３に付与する電位であるＶＣＯＭが、式（１）を満たすような電位信号を出力して、ステップｄ５に移る。
ＶＣＯＭ＝Ｚ／Ｍ×（Ｖ_ＭＡＸ−Ｖ_ＭＩＮ）／２
＋（Ｖ_ＭＡＸ＋Ｖ_ＭＩＮ）／２                        …（１）
【００５６】
ステップｄ５では、ＹＳＹＮＣの信号レベルが立ち上がったか否かを判断する。ステップｄ５で、立ち上がったと判断すると、ステップｄ６に移り、立ち上がっていないと判断するとステップｄ４に移る。
【００５７】
ステップｄ６では、共通電極１３に付与する電位であるＶＣＯＭが、式（２）を満たすような電位信号を出力して、ステップｄ２に移る。
ＶＣＯＭ＝Ｚ／Ｍ×（Ｖ_ＭＡＸ−Ｖ_ＭＩＮ）／２
−（Ｖ_ＭＡＸ＋Ｖ_ＭＩＮ）／２                        …（２）
【００５８】
図９は、本形態におけるＶＳＹＮＣおよびＶＣＯＭの波形を示すタイミングチャートである。図８に示すフローチャートに従ってＭＰＵ３４が動作すると、図９に示すようなＶＣＯＭが、共通電極１３に与えられることになる。ＭＰＵ３４は、生成した乱数に応じて共通電極１３に付与する電位を変動させ、ＶＣＯＭの平均の電位よりも高い電位であって、ＶＣＯＭの電位の平均値との電位差がＶｓの電位を付与すると、引き続いてＶＣＯＭの平均の電位よりも低い電位であって、ＶＣＯＭの電位の平均値との電位差がＶｓの電位を付与するように電位信号を生成する。したがって、本形態においても、平均値が一定となるように電位を振幅させて共通電極１３付与するので、前述した形態と同様の効果を達成することができる。
【００５９】
図１０は、液晶表示装置４１の構成を模式的に示す図である。図１１は、液晶表示装置４１が備える液晶表示パネル４２の一部の構成を模式的に示す図である。本形態の液晶表示装置４１は、前述した図１に示す液晶表示装置１に類似するので、同様の構成については同様の参照符号を付してその説明を省略し、異なる部分について説明する。
【００６０】
液晶表示装置４１は、液晶表示パネル４２と、液晶モジュール制御回路部４３と、ソースドライバ部４と、ゲートドライバ部５とを含んで構成される。
【００６１】
液晶表示パネル４２は、複数に分割して形成される共通電極５３を備える。液晶表示パネル４２は、前述した液晶表示パネル２において共通電極１３を複数に分割して形成される構成と同様であり、共通電極５３の構成のみが異なる。共通電極５３は、共通電極１３と同様の材料から成り、第２の基板１４の相互に対向する矩形状の各辺の中央部で分割され、すなわち４つの部分に分割されている。分割されている各部分を、それぞれ第１〜第４共通電極５３ａ〜５３ｄと記載する。第１〜第４共通電極５３ａ〜５３ｄの大きさは等しく選ばれており、またそれぞれに個別にコモン転移部２３が接続されている。本形態では、第１〜第４共通電極５３ａ〜５３ｄのうち異なる電極に接続されるコモン転移部２３は、相互に電気的に絶縁されている。
【００６２】
図１１は、本形態の第２の基板１４を模式的に示す平面図であり、図１２は、図１１の領域αを拡大して示す斜視図である。第２の基板１４は、基材５４の一表面に第１〜第４共通電極５３ａ〜５３ｄが積層して形成され、第１〜第４共通電極５３ａ〜５３ｄに積層してカラーフィルタ部５５が形成される。またカラーフィルタ部５５の間にはブラックマトリクス部５６が形成されている。カラーフィルタ部５５およびブラックマトリクス部５６には、図示しない配向膜が積層して形成されている。
【００６３】
第１共通電極５３ａと、この第１共通電極５３ａに対向する画素電極１１とが設けられる領域が第１駆動エリア５７ａであり、第２共通電極５３ｂと、この第２共通電極５３ｂに対向する画素電極１１とが設けられる領域が第２駆動エリア５７ｂであり、第３共通電極５３ｃと、この第３共通電極５３ｃに対向する画素電極１１２とが設けられる領域が第３駆動エリア５７ｃであり、第４共通電極５３ｄと、この第４共通電極５３ｄに対向する画素電極１１とが設けられる領域が第４駆動エリア５７ｄである。コモン転移部２３は、前記各第１〜第４駆動エリア５７ａ〜５７ｄの範囲外に設けられており、本形態では、第１〜第４共通電極５３ａ〜５３ｄに１つずつ接続されている。以下各第１〜第４駆動エリア５７ａ〜５７ｄのうち、不特定のものを指すときには駆動エリア５７と記載する。
【００６４】
共通電極５３は、ブラックマトリクス部５６に対向する位置で分割され、さらに詳細にはブラックマトリクス部５６のうち、画素に対応するカラーフィルタ部５５のうちＲ、Ｇ、Ｂのそれぞれのカラーフィルタ部５５から成る絵素部の間の部分に対向する位置で分割されている。すなわち第１〜第４共通電極５３ａ〜５３ｄのそれぞれの間の領域は、ブラックマトリクス部５６に覆われている。これによって、共通電極５３が分割されている部分がブラックマトリクス部５６に隠れるので、さらに１つの絵素部に含まれる各画素は、第１〜第４共通電極５３ａ〜５３ｄのうち同一の電極に対向するので、表示される画像への影響を抑制することができる。
【００６５】
再び図１０を参照して、液晶モジュール制御回路部４３は、ＬＶＤＳデコータ３１と、タイミングコントローラ３２と、クロックカウンタ３３と、ＭＰＵ（Micro Processing
Unit）３４と、複数のデジタルアナログコンバータ３５と、複数のアンプ部３６と、データコントローラ３７とを含んで構成される。
【００６６】
ＭＰＵ３４の記憶部３８には、第１共通電極５３ａに与えるべき電位の最大値（Ｖ１_ＭＡＸ）および最小値（Ｖ１_ＭＩＮ）と、第２共通電極５３ｂに与えるべき電位の最大値（Ｖ２_ＭＡＸ）および最小値（Ｖ２_ＭＩＮ））と、第３共通電極５３ｃに与えるべき電位の最大値（Ｖ３_ＭＡＸ）および最小値（Ｖ３_ＭＩＮ））と、第４共通電極５３ｄに与えるべき電位の最大値（Ｖ４_ＭＡＸ）および最小値（Ｖ４_ＭＩＮ））との情報が記憶されている。以下、Ｖ１_ＭＡＸ，Ｖ２_ＭＡＸ，Ｖ３_ＭＡＸ，Ｖ４_ＭＡＸのうち不特定のものを指すときには、Ｖ_ＭＡＸと記載し、Ｖ１_ＭＩＮ，Ｖ２_ＭＩＮ，Ｖ３_ＭＩＮ，Ｖ４_ＭＩＮのうち不特定のものを指すときには、Ｖ_ＭＩＮと記載する。
【００６７】
ＭＰＵ３４は、クロックカウンタ３３から与えられる垂直同期信号と、記憶部３８に記憶される前記情報とに基づいて、第１〜第４共通電極５３ａ〜５３ｄに与えるべき電位を表す電位信号を出力する。ＭＰＵ３４は、Ｖ１_ＭＡＸとＶ１_ＭＩＮとの間で、平均値が一定となるように電位を振幅させて第１共通電極５３ａに付与するための第１電位信号を出力する。またＭＰＵ３４は、Ｖ２_ＭＡＸとＶ２_ＭＩＮとの間で、平均値が一定となるように電位を振幅させて第２共通電極５３ｂに付与するための第２電位信号を出力する。またＭＰＵ３４は、最大値Ｖ３_ＭＡＸと、最小値Ｖ３_ＭＩＮとを含む範囲で、平均値が一定となるように電位を振幅させて第３共通電極５３ｃに付与するための第３電位信号を出力する。またＭＰＵ３４は、最大値Ｖ４_ＭＡＸと、最小値Ｖ４_ＭＩＮとを含む範囲で、平均値が一定となるように電位を振幅させて共通電極５３ｄに付与するための第４電位信号を出力する。第１〜第４電位信号を生成するＭＰＵ３４の動作処理については、後述する図１５のフローチャートの説明において詳細に述べる。
【００６８】
複数のＤＡＣ３５は、第１〜第４電位信号にそれぞれ対応して設けられ、デジタル信号で表される第１〜第４電位信号をそれぞれアナログ信号に変換して、対応するＡＭＰ部３６に与える。各ＡＭＰ部３６は、アナログ信号に変換された第１〜第４電位信号を増幅してソースドライバ部４に与える。複数のＤＡＣ３５は、ＭＰＵ３４とともに共通電位生成部を構成する。またＭＰＵ３４、複数のＤＡＣ３５および複数のＡＭＰ部３６を含んで共通電極駆動部が構成される。
【００６９】
次にＶ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとを決定して、記憶部３８にこれらの情報を記憶する手順について説明する。図１３は、Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとを設定する設定装置における動作手順を示すフローチャートである。設定装置は、前記液晶モジュール制御回路部４３にＬＶＤＳを与え、ＭＰＵ３４を制御して、液晶表示パネル４２に所定の画像を表示させることができ、またフリッカ測定装置と、グランド電位を基準とし第１〜第４共通電極５３ａ〜５３ｄに印加される電圧を測定する電圧測定装置とを備える。また設定装置は、動作手順を行うための制御プログラムを実行して、液晶モジュール制御回路部４３にＬＶＤＳを与え、ＭＰＵ３４、フリッカ測定装置および電圧測定装置を制御するマイクロコンピュータを備える。
【００７０】
また図１４は、フリッカを調整する際の測定位置について示す図である。ここでフリッカの測定位置は、たとえば図１４に示す液晶表示パネル４２の第１駆動エリア５７ａでは、矩形状の表示面５８ａのうち、この表示面５８ａを長手方向および短手方向にそれぞれ平行な直線によって４等分した各領域の中央部（Ｂ１），（Ｂ２），（Ｂ３），（Ｂ４）と、この表示面５８ａの中央部（Ｂ５）とである。また予め定める測定位置は、たとえば図１４に示す液晶表示パネル４２の第２駆動エリア５７ｂでは、矩形状の表示面５８ｂのうち、この表示面５８ｂを長手方向および短手方向にそれぞれ平行な直線によって４等分した各領域の中央部（Ｃ１），（Ｃ２），（Ｃ３），（Ｃ４）と、この表示面５８ａの中央部（Ｃ５）とである。また予め定める測定位置は、たとえば図１４に示す液晶表示パネル４２の第３駆動エリア５７ｃでは、矩形状の表示面５８ｃのうち、この表示面５８ｃを長手方向および短手方向にそれぞれ平行な直線によって４等分した各領域の中央部（Ｄ１），（Ｄ２），（Ｄ３），（Ｄ４）と、この表示面５８ｃの中央部（Ｄ５）とである。また予め定める測定位置は、たとえば図１４に示す液晶表示パネル４２の第４駆動エリア５７ｄでは、矩形状の表示面５８ｄのうち、この表示面５８ｄを長手方向および短手方向にそれぞれ平行な直線によって４等分した各領域の中央部（Ｅ１），（Ｅ２），（Ｅ３），（Ｅ４）と、この表示面５８ｄの中央部（Ｅ５）とである。
【００７１】
処理を開始すると、ステップｅ０からステップｅ１に移る。ステップｅ１において設定装置のマイクロコンピュータは、液晶モジュール制御回路部４３にＬＶＤＳを与え、ＭＰＵ３４を制御して、液晶表示パネル４２にフリッカ調整用パターンを表示させる。
【００７２】
次にステップｅ２に移り、設定装置のマイクロコンピュータによってＭＰＵ３４を制御して、第１〜第４駆動エリア５７ａ〜５７ｄのうち１つの駆動エリア５７において、共通電極５３のうち前記１つの駆動エリア５７に含まれる部分に与えられる電位ＶＣＯＭを調整しながら、複数の予め定める測定位置のうちの一つで、フリッカが最小になるときのグランド電位に対する電圧（ＤＣ）値をフリッカ測定装置および電圧測定装置によって測定する。
【００７３】
次にステップｅ３に移り、設定装置のマイクロコンピュータによって、１つの駆動エリア内の予め定める測定位置の全てについて、その測定位置でのフリッカが最小となるときの電圧値の測定を行ったか否かを判断する。ステップｅ３で、測定を行ったと判断したときは、ステップａ４に移り、まだ測定を行ってないと判断したときには、ステップｅ２に移り、まだ測定していない測定位置において、その測定位置でのフリッカが最小となるときの電圧値の測定が行われる。
【００７４】
ステップｅ４では、設定装置のマイクロコンピュータが、ステップｅ２で測定された電圧値のうち、最も大きな電圧値が表すグランド電位に対する電位をＶ_ＭＡＸとし、最も小さな電圧値が表すグランド電位に対する電位をＶ_ＭＩＮとして、Ｖ_ＭＡＸおよびＶ_ＭＩＮの情報をＭＰＵ３４の記憶部３８に記憶させて、ステップｅ５に移る。たとえば第１駆動エリア５７ａについて測定した場合には、ステップｅ２で測定された電圧値のうち、最も大きな電圧値が表すグランドに対する電位をＶ１_ＭＡＸとし、最も小さな電圧値が表すグランドに対する電位をＶ１_ＭＩＮとして、Ｖ１_ＭＡＸおよびＶ１_ＭＩＮの情報をＭＰＵ３４の記憶部３８に記憶する。
【００７５】
ステップｅ５では、全ての駆動エリア５７ａ〜５７ｄについて測定を行ったか否かを判断する。ステップｅ５において測定を行ったと判断すると、ステップｅ６に移り処理を終了し、測定を行っていないと判断すると、ステップｅ６に移り、測定対象の駆動エリア５７を変更して、ステップｅ２に移る。
【００７６】
ここでは、設定装置によってＶ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮの情報を設定する場合について説明しているが、作業者が目視によってフリッカが最小になるときの電圧値を電圧測定装置によって測定して、このように測定した電圧値に応じて、作業者が入力装置を用いて、Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮの情報をＭＰＵ３４の記憶部３８に記憶させてもよい。
【００７７】
ＭＰＵ３４では、ＶＳＹＮＣの信号レベルが変化することによって、フレームが切り換わるときを判断することができ、ＶＳＹＮＣに応じて、すなわちフレームが切り換るときに、第１〜第４共通電極５３ａ〜５３ｄに対して付与する電位を変化させる。
【００７８】
図１５は、ＭＰＵ３４の動作処理を示すフローチャートである。電源を投入して処理を開始すると、ステップｆ０からステップｆ１に移る。ステップｆ１では、各駆動エリア５７ａ〜５７ｄに応じたＶ_ＭＡＸおよびＶ_ＭＩＮに基づいて、各駆動エリア５７ａ〜５７ｄにそれぞれ対応する変動値を決定する。本形態では、共通電極５３の電位を４段階に変化させるために、変動値は、Ｖ_ＭＡＸからＶ_ＭＩＮを減算した値を４で除算した値とする。また本形態のＭＰＵ３４は、前述したようなカウンタ機能を備えず、また記憶部３８には、カウント数および変動方向に関する情報は記憶されていない。記憶部３８には、変数「Ａ」，「Ｂ」，「Ｃ」，「Ｄ」を記憶する記憶エリアと、変数「Ｖ」を記憶する記憶エリアとが設けられている。
【００７９】
次にステップｆ２に移り、変数「Ａ」に「０」を代入し、変数「Ｃ」に「０」を代入し、変数「Ｄ」に「第４駆動エリア５７ｄに対応する変動値×−２」を代入し、変数Ｂに「第２駆動エリア５７ｂに対応する変動値×２」を代入して、ステップｆ３に移る。変数「Ａ」は、第１駆動エリア５７ａに対応し、変数「Ｂ」は、第２駆動エリア５７ｂに対応し、変数「Ｃ」は、第３駆動エリア５７ｃに対応し、変数「Ｄ」は、第４駆動エリア５７ｄに対応する。
【００８０】
次にステップｆ３に移り、変数「Ｖ」に「１１００００１１」を代入して、ステップｆ４に移る。
【００８１】
ステップｆ４では、ＹＳＹＮＣの信号レベルが立ち上がったか、すなわちＬレベルからＨレベルになったか否かを判断する。ステップｆ４で、立ち上がったと判断すると、ステップｆ５に移り、立ち上がっていないと判断するとステップｆ４を繰り返す。
【００８２】
ステップｆ５では、変数「Ｖ」の１桁目が「１」であるか否かを判断する。ステップｆ５で「１」であると判断すると、ステップｆ６に移り、変数「Ａ」に第１駆動エリア５７ａに対応する変動値を加算して記憶部３８に記憶し、引き続いてステップｆ７に移って、変数「Ｃ」から第３駆動エリア５７ｃに対応する変動値を減算して記憶部３８に記憶して、ステップｆ１０に移る。ステップｆ５で「１」ではないと判断すると、ステップｆ８に移り、変数「Ａ」から第１駆動エリア５７ａに対応する変動値を減算して記憶部３８に記憶し、引き続いてステップｆ９に移って、変数Ｃに第３駆動エリア５７ｃに対応する変動値を加算して記憶部３８に記憶して、ステップｆ１０に移る。
【００８３】
ステップｆ１０では、変数「Ｖ」の３桁目が「１」であるか否かを判断する。ステップｆ１０で「１」であると判断すると、ステップｆ１１に移り、変数Ｂに第２駆動エリア５７ｂに対応する変動値を加算して記憶部３８に記憶し、引き続いてステップｆ１２に移って、変数「Ｄ」に第４駆動エリア５７ｄに対応する変動値を加算して記憶部３８に記憶して、ステップｆ１５に移る。ステップｆ１０で「１」ではないと判断すると、ステップｆ１３に移り、変数「Ｂ」から第２駆動エリア５７ｂに対応する変動値を減算して記憶部３８に記憶し、引き続いてステップｆ１４に移って、変数「Ｄ」に第４駆動エリア５７ｄに対応する変動値を加算して記憶部３８に記憶して、ステップｆ１５に移る。
【００８４】
ステップｆ１５では、各変数「Ａ」，「Ｂ」，「Ｃ」，「Ｄ」に応じた電位（ＶＣＯＭ）が各共通電極５３ａ〜５３ｄに与えられるように電位信号を生成して出力する。すなわち各共通電極５３ａ〜５３ｄには、予め定めるバイアス電位に、対応する変数「Ａ」，「Ｂ」，「Ｃ」，「Ｄ」の変動量が表す電位を加算または減算した電位（ＶＣＯＭ）が与えられる。第１共通電極５３ａには、バイアス電位に、対応する変数「Ａ」の変動量が表す電位を加算または減算した電位（ＶＣＯＭ１）が与えられ、第２共通電極５３ｂには、バイアス電位に、対応する変数「Ｂ」の変動量が表す電位を加算または減算した電位（ＶＣＯＭ２）が与えられ、第３共通電極５３ｃには、バイアス電位に、対応する変数「Ｃ」の変動量が表す電位を加算または減算した電位（ＶＣＯＭ３）が与えられ、第４共通電極５３ｄには、バイアス電位に、対応する変数「Ｄ」の変動量を表す電位を加算または減算した電位（ＶＣＯＭ４）が与えられる。
【００８５】
次にステップｆ１６に移り、変数「Ｖ」の各桁の数値を、右方向に循環して記憶部３８に記憶させて、ステップｆ４に移る。ここで変数の各桁の数値を右方向に循環させる処理は、８桁の変数のうち、１桁目の数を８桁目の数に置き換え、以下ｎ桁目の数をｎ＋１桁目の数に置き換える処理である。
【００８６】
図１６は、変数「Ｘ」と、各変数「Ｘ」のときに変数「Ａ」，「Ｂ」，「Ｃ」，「Ｄ」について所定の変動量を加算するのか減算するのかを対応させて示す図である。たとえば変数「Ｘ」が、「１１００００１１」のときには、変数「Ａ」，「Ｄ」が加算、変数「Ｂ」，「Ｄ」が減算となる。したがって、９回目にＹＳＹＮＣの信号レベルが立ち上がると、変数「Ｘ」は初期値に戻り、以下、ＹＳＹＮＣの信号レベルの立ち上がり回数が１回目〜９回目に立ち上がるまでの期間を１周期として、変数「Ａ」，「Ｂ」，「Ｃ」，「Ｄ」の増減が繰り返される。
【００８７】
図１７は、ＶＳＹＮＣおよび変数「Ａ」，「Ｂ」，「Ｃ」，「Ｄ」の変動状態を示すタイミングチャートである。図１８は、ＶＳＹＮＣおよびＶＣＯＭ１〜ＶＣＯＭ４の波形を示すタイミングチャートである。図１７および図１８ともに、時刻ｔ０で、変数「Ｘ」が「１１００００１１」である場合について示している。ＭＰＵ３４は、ＶＣＯＭ１〜ＶＣＯＭ４を変化させる予め定める周期Ｔ１を、ここではＶＳＹＮＣが初めに立ち上がってから９回目に立ち上がるまでの期間とする。
【００８８】
以上のように本形態の液晶表示装置４１では、共通電極５３が複数に分割して形成され、分割されている第１〜第４共通電極５３ａ〜５３ｄのそれぞれの部分に、共通電極駆動部によって個別に電位を付与するので、ＴＦＴ１６および画素電極１１の形状のばらつきが生じたり、配線容量が増大したりしても、第１〜第４共通電極５３ａ〜５３ｄのそれぞれにおいて電位を調整しておくことができる。これによって、液晶表示装置が大型化しても、直流成分が印加される領域を低減することができ、表示品位を損なうことなく長期残像を緩和することができる。
【００８９】
また第１〜第４駆動エリア５７ａ〜５７ｄのそれぞれについて、前述した液晶表示装置１の場合と同様に、共通電極駆動部が、第１〜第４共通電極３２ａ〜３２ｄに対して、平均値が一定となるように電位を振幅させて付与するので、液晶表示装置１と同様の効果を達成することができる。したがって、直流成分が印加される領域を低減することができ、表示品位を損なうことなく長期残像を緩和することができる効果を、さらに大型化した液晶表示装置においても達成することができるようになる。
【００９０】
なお、第１〜第４駆動エリア５７ａ〜５７ｄにおいて、ＶＣＯＭ１〜ＶＣＯＭ４の最大値となるタイミングおよび、またＶＣＯＭ１〜ＶＣＯＭ４の最小値となるタイミングが重なるようにＶＣＯＭ１〜ＶＣＯＭ４を周期的に変化させた場合には、各駆動エリア５７ａ〜５７ｄで同時刻に印加されているＶＣＯＭ１〜ＶＣＯＭ４の差が少なくなり、各エリアの境界線が目立たなくなる。
【００９１】
前述したＶＣＯＭの調整に用いられるＶ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとは、以下の方法によって求めてもよい。
【００９２】
図１９，図２０および図２１は、Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとを設定する設定装置における動作手順を示すフローチャートである。設定装置は、前記液晶モジュール制御回路部４３にＬＶＤＳを与え、ＭＰＵ３４を制御して、液晶表示パネル４２に所定の画像を表示させることができ、またフリッカ測定装置と、グランド電位を基準とし第１〜第４共通電極５３ａ〜５３ｄに印加される電圧を測定する電圧測定装置とを備える。また設定装置は、動作手順を行うための制御プログラムを実行して、液晶モジュール制御回路部４３にＬＶＤＳを与え、ＭＰＵ３４、フリッカ測定装置および電圧測定装置を制御するマイクロコンピュータを備える。また図２２は、フリッカを調整する際の測定位置について示す図である。ここでフリッカの測定位置は、図２２に示す液晶表示パネル４２の矩形状の表示面６１のうち、この表示面６１を長手方向および短手方向にそれぞれ平行な直線によって４等分した各領域の中央部（Ａ１），（Ａ２），（Ａ３），（Ａ４）と、この表示面６１の中央部（Ａ５）とである。
【００９３】
処理を開始すると、ステップｅ０からステップｅ１に移る。ステップｅ１において設定装置のマイクロコンピュータは、液晶モジュール制御回路部４３にＬＶＤＳを与え、ＭＰＵ３４を制御して、液晶表示パネル４２にフリッカ調整用パターンを表示させる。
【００９４】
次にステップｇ２に移り、設定装置のマイクロコンピュータによってＭＰＵ３４を制御して、第１〜第４駆動エリア５７ａ〜５７ｄの各共通電極５３ａ〜５３ｄに与えられる電位（ＶＣＯＭ１〜ＶＣＯＭ４）を、それぞれ均一の電位として、この電位を調整しながら、（Ａ５）の位置でフリッカが最小になるときのグランド電位に対する電圧（ＤＣ）値をフリッカ測定装置および電圧測定装置によって測定する。このときのＶＣＯＭ１〜ＶＣＯＭ４とグランド電位との電圧をＶ５とする。
【００９５】
次にステップｇ３に移り、第２共通電極５３ｂに与えられる電位（ＶＣＯＭ２）とグランド電位間の電位差（電圧）と、第３共通電極５３ｃに与えられる電位（ＶＣＯＭ３）とグランド電位間の電位差（電圧）とをＶ５に固定して、ステップｇ４に移る。
【００９６】
ステップｇ４では、第１共通電極５３ａに与えられる電位（ＶＣＯＭ１）および第４共通電極５３ｄに与えられる電位（ＶＣＯＭ４）の平均と、グランド電位との間の電圧がＶ５となるように制御しながら、（Ａ１）の位置でのフリッカと、（Ａ４）の位置でのフリッカとの和が最小となるときのグランド電位に対する電圧（ＤＣ）値をフリッカ測定装置および電圧測定装置によって測定する。フリッカ測定装置では、フリッカの程度を数値化して出力し、フリッカの和は、フリッカ測定装置から出力される数値の和であるとする。このときのＶＣＯＭ１とグランド電位との間の電圧値をＶ１とし，ＶＣＯＭ４とグランド電位との間の電圧値をＶ４とする。
【００９７】
次にステップｇ５に移り、ＶＣＯＭ１とグランド電位との間の電圧をＶ１に固定し、ＶＣＯＭ４とグランド電位との間の電圧をＶ４に固定して、ステップｇ６に移る。
【００９８】
ステップｇ６では、ＶＣＯＭ２，ＶＣＯＭ３の平均とグランド電位との間の電圧がＶ５となるように制御しながら、（Ａ２）の位置でのフリッカと、（Ａ３）の位置でのフリッカとの和が最小となるときのグランド電位に対する電圧（ＤＣ）値をフリッカ測定装置および電圧測定装置によって測定する。このときのＶＣＯＭ２とグランド電位との間の電圧値をＶ２とし、ＶＣＯＭ３とグランド電位との電圧値をＶ３とする。
【００９９】
次にステップｇ７では、ループ回数が規定以上か否かを判断する。ステップｇ７では、ステップｇ７の判断をする毎にカウントを行い、カウント数が規定以上になると、ステップｇ８に移り、カウント数が規定回数未満であると、ステップｇ１１に移る。
【０１００】
ステップｇ８では、設定装置のマイクロコンピュータによって（Ａ１）〜（Ａ５）のそれぞれの位置でのフリッカが、予め定める規定以下であるか否かを判断する。ステップｇ８で規定値以下であると判断すると、ステップｇ９に移り、規定値を超えると判断すると、ステップｇ１１に移る。
【０１０１】
ステップｇ９では、設定装置のマイクロコンピュータによって、各測定位置の測定値より、Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとを決定して、ＭＰＵ３４の記憶部３８に記憶して、ステップｇ１０に移り、動作処理を終了する。
【０１０２】
ステップｇ１１では、ＶＣＯＭ２とグランド電位との間の電圧を、Ｖ２に固定し、ＶＣＯＭ３とグランド電位との間の電圧を、Ｖ３に固定して、ステップｇ１２に移る。
【０１０３】
ステップｇ１２では、ＶＣＯＭ１，ＶＣＯＭ４の平均とグランド電位との間の電圧がＶ５となるように制御しながら、（Ａ１）の位置でのフリッカと、（Ａ４）の位置でのフリッカとの和が最小となるときのグランド電位に対する電圧（ＤＣ）値をフリッカ測定装置および電圧測定装置によって測定する。フリッカ測定装置では、フリッカの程度を数値化して出力し、フリッカの和は、フリッカ測定装置から出力される数値の和であるとする。このときのＶＣＯＭ１とグランド電位との間の電圧値をＶ１とし、ＶＣＯＭ４とグランド電位との間の電圧値をＶ４とする。ステップｇ１２が終了すると、ステップｇ５に移る。
【０１０４】
図２０は、図１９のステップｇ９の動作処理を表すフローチャートである。図１９のステップｇ９に移ると、ステップｈ０からステップｈ１に移り、処理を開始する。ステップｈ１では、ＶＣＯＭ２とグランド電位との間の電圧を、最終的に測定されたＶ２に固定し、ＶＣＯＭ３とグランド電位との間の電圧を、最終的に測定されたＶ３に固定して、ステップｈ２に移る。
【０１０５】
ステップｈ２では、ＶＣＯＭ１，ＶＣＯＭ４の平均とグランド電位との間の電圧がＶ５となるように制御しながら、（Ａ１）の位置でのフリッカが最小となるときのグランド電位に対する電圧（ＤＣ）値をフリッカ測定装置および電圧測定装置によって測定する。このときのＶＣＯＭ１とグランド電位との間の電圧値をＶ１−２とし，ＶＣＯＭ４とグランド電位との間の電圧値をＶ４−２とする。
【０１０６】
次にステップｈ３に移り、ＶＣＯＭ１，ＶＣＯＭ４の平均とグランド電位との間の電圧がＶ５となるように制御しながら、（Ａ４）の位置でのフリッカが最小となるときのグランド電位に対する電圧（ＤＣ）値をフリッカ測定装置および電圧測定装置によって測定する。このときのＶＣＯＭ１とグランド電位との間の電圧値をＶ１−３とし，ＶＣＯＭ４とグランド電位との間の電圧値をＶ４−３とする。
【０１０７】
次にステップｈ４に移り、ＶＣＯＭ１とグランド電位との間の電圧を、最終的に測定されたＶ１に固定し、ＶＣＯＭ４とグランド電位との間の電圧を、最終的に測定されたＶ４に固定して、ステップｈ５に移る。
【０１０８】
ステップｈ５では、ＶＣＯＭ２，ＶＣＯＭ３の平均とグランド電位との間の電圧がＶ５となるように制御しながら、（Ａ２）の位置でのフリッカが最小となるときのグランド電位に対する電圧（ＤＣ）値をフリッカ測定装置および電圧測定装置によって測定する。このときのＶＣＯＭ２とグランド電位との間の電圧値をＶ２−２とし，ＶＣＯＭ３とグランド電位との間の電圧値をＶ３−２とする。
【０１０９】
次にステップｈ６に移り、ＶＣＯＭ２，ＶＣＯＭ３の平均とグランド電位と間の電圧がＶ５となるように制御しながら、（Ａ４）の位置でのフリッカが最小となるときのグランド電位に対する電圧（ＤＣ）値をフリッカ測定装置および電圧測定装置によって測定する。このときのＶＣＯＭ２とグランド電位との間の電圧値をＶ２−３とし，ＶＣＯＭ３とグランド電位との間の電圧値をＶ３−３とする。
【０１１０】
次にステップｈ７に移り、Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮを設定して、ステップｈ８に移り、動作処理を終了する。
【０１１１】
図２１は、図２０のステップｈ７の動作処理を表すフローチャートである。図２０のステップｈ７に移ると、ステップｊ０からステップｊ１に移り、処理を開始する。ステップｊ１では、Ｖ１−２とＶ１−３とを比較し、Ｖ１−２がＶ１−３を超えるか否かを判断する。ステップｊ１でＶ１−２＞Ｖ１−３であると判断すると、ステップｊ２に移り、Ｖ１−２＞Ｖ１−３ではないと判断すると、ステップｊ３に移る。
【０１１２】
ステップｊ２では、Ｖ１−２をＶ１_ＭＡＸとし、Ｖ１−３をＶ１_ＭＩＮとする。ステップｊ３では、Ｖ１−２をＶ１_ＭＩＮとし、Ｖ１−３をＶ１_ＭＡＸとする。
【０１１３】
次にステップｊ４に移り、Ｖ２−２とＶ２−３とを比較し、Ｖ２−２がＶ２−３を超えるか否かを判断する。ステップｊ４でＶ２−２＞Ｖ２−３であると判断すると、ステップｊ５に移り、Ｖ２−２＞Ｖ２−３ではないと判断すると、ステップｊ６に移る。
【０１１４】
ステップｊ５では、Ｖ２−２をＶ２_ＭＡＸとし、Ｖ２−３をＶ２_ＭＩＮとする。ステップｊ６では、Ｖ２−２をＶ２_ＭＩＮとし、Ｖ２−３をＶ２_ＭＡＸとする。
【０１１５】
次にステップｊ７に移り、Ｖ３−２とＶ３−３とを比較し、Ｖ３−２がＶ３−３を超えるか否かを判断する。ステップｊ７でＶ３−２＞Ｖ３−３であると判断すると、ステップｊ８に移り、Ｖ３−２＞Ｖ３−３ではないと判断すると、ステップｊ９に移る。
【０１１６】
ステップｊ１０では、Ｖ３−２をＶ３_ＭＡＸとし、Ｖ３−３をＶ３_ＭＩＮとする。ステップｊ９では、Ｖ３−２をＶ３_ＭＩＮとし、Ｖ３−３をＶ３_ＭＡＸとする。
【０１１７】
次にステップｊ１０に移り、Ｖ４−２とＶ４−３とを比較し、Ｖ４−２がＶ４−３を超えるか否かを判断する。ステップｊ１０でＶ４−２＞Ｖ４−３であると判断すると、ステップｊ１１に移り、Ｖ４−２＞Ｖ４−３ではないと判断すると、ステップｊ１２に移る。
【０１１８】
ステップｊ１１では、Ｖ４−２をＶ４_ＭＡＸとし、Ｖ４−３をＶ４_ＭＩＮとする。ステップｊ１２では、Ｖ４−２をＶ４_ＭＩＮとし、Ｖ４−３をＶ４_ＭＡＸとする。
【０１１９】
次にステップｊ１３に移り、各ステップで決定されたＶ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとの情報をＭＰＵ３４の記憶部３８に記憶して、ステップｊ１４に移り、動作処理を終了する。
【０１２０】
以上のようにして、Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとを決定すれば、液晶表示パネル４２の表示面６１の中央部における長期残像をより効果的に抑制することができる。
【０１２１】
本形態の液晶表示装置４１では、第１〜第４駆動エリア５７ａ〜５７ｄにおいて、ＶＣＯＭ１〜ＶＣＯＭ４の最大値となるタイミングが重ならず、またＶＣＯＭ１〜ＶＣＯＭ４の最小値となるタイミングが重ならないようにしているが、他の形態では、第１〜第４駆動エリア５７ａ〜５７ｄにおいて、ＶＣＯＭ２〜ＶＣＯＭ４の変動を、たとえばＶＣＯＭ１と同様にして、ＶＣＯＭ１〜ＶＣＯＭ４の最大値となるタイミングが重なり、ＶＣＯＭ１〜ＶＣＯＭ４の最小値となるタイミングが重なるようにしてもよい。この場合には、第１〜第４駆動エリア５７ａ〜５７ｄにおいて、ＶＣＯＭ１〜ＶＣＯＭ４の最大値となるタイミングが重ならず、またＶＣＯＭ１〜ＶＣＯＭ４の最小値となるタイミングが重ならないようにすることによる効果については生じないが、残余の効果は前述の形態と同様である。
【０１２２】
また、さらに他の形態では、第１〜第４駆動エリア５７ａ〜５７ｄにおけるＶＣＯＭを、前述の図８に示す形態のＭＰＵを用いて生成してもよい。このような構成であっても、同様の効果を達成することができる。
【０１２３】
また前述した形態では、共通電極５３は、４つに分割されているが、複数に分割される構成であればよく、液晶表示パネル４２が大型化するほど、分割数が多くなるように構成するのが好ましい。共通電極５３の分割された複数の部分にコモン転移部２３によって個別に電位を与えられる構成となっていれば、前述した形態と同様の効果を達成することができる。
【０１２４】
また、さらに他の形態では、前述した図１０に示す形態において、液晶表示パネル４２の共通電極５３を第１〜第４共通電極５３ａ〜５３ｄに分割しないで、１つの共通電極１３に代えて構成してもよい。共通電極１３は抵抗値を有するので、共通電極１３に接続されるそれぞれのコモン転移部２３には、別々の電位が与えることができ、このような構成であっても、前述の場合と同様の効果を達成することができる。この場合であっても各コモン転移部２３に与えられる電位は、図１９〜図２０に示される方法によって決定することができる。
【図面の簡単な説明】
【０１２５】
【図１】液晶表示装置１の構成を模式的に示す図である。
【図２】液晶表示装置１が備える液晶表示パネル２の一部の構成を模式的に示す図である。
【図３】Ｖ_ＭＡＸと、Ｖ_ＭＩＮを設定する設定装置における動作手順を示すフローチャートである。
【図４】フリッカを調整する際の測定位置について示す図である。
【図５】ＶＳＹＮＣを生成するクロックカウンタ３３の動作処理を示すフローチャートである。
【図６】ＭＰＵ３４の動作処理を示すフローチャートである。
【図７】カウント数と、ＶＳＹＮＣおよび共通電極１３に与えられる電位（ＶＣＯＭ）の波形とを示すタイミングチャートである。
【図８】液晶表示装置におけるＭＰＵの動作処理を示すフローチャートである。
【図９】本形態におけるＶＳＹＮＣおよびＶＣＯＭの波形を示すタイミングチャートである。
【図１０】液晶表示装置４１の構成を模式的に示す図である。
【図１１】液晶表示装置４１が備える液晶表示パネル４２の一部の構成を模式的に示す図である。
【図１２】図１１の領域αを拡大して示す斜視図である。
【図１３】Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとを設定する設定装置における動作手順を示すフローチャートである。
【図１４】フリッカを調整する際の測定位置について示す図である。
【図１５】ＭＰＵ３４の動作処理を示すフローチャートである
【図１６】変数「Ｘ」と、各変数「Ｘ」のときに変数「Ａ」，「Ｂ」，「Ｃ」，「Ｄ」について所定の変動量を加算するのか減算するのかを対応させて示す図である。
【図１７】ＶＳＹＮＣおよび変数「Ａ」，「Ｂ」，「Ｃ」，「Ｄ」の変動状態を示すタイミングチャートである。
【図１８】ＶＳＹＮＣおよびＶＣＯＭ１〜ＶＣＯＭ４の波形を示すタイミングチャートである。
【図１９】Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとを設定する設定装置における動作手順を示すフローチャートである。
【図２０】Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとを設定する設定装置における動作手順を示すフローチャートである。
【０１２６】
【図２１】Ｖ１_ＭＡＸ，Ｖ２_ＭＡＸ，Ｖ３_ＭＡＸ，Ｖ４_ＭＡＸと、Ｖ１_ＭＩＮ，Ｖ２_ＭＩＮ，Ｖ３_ＭＩＮ，Ｖ４_ＭＩＮとを設定する設定装置における動作手順を示すフローチャートである。
【図２２】フリッカを調整する際の測定位置について示す図である。
【符号の説明】
【０１２７】
１，４１      液晶表示装置
２，４２      液晶表示パネル
３，４３      液晶モジュール制御回路部
４      ソースドライバ部
５      ゲートドライバ部
１１    画素電極
１２    第１の基板
１３，５３    共通電極
１４    第２の基板
１６    ＴＦＴ
１８    ゲート配線
１９    ソース配線
２３    コモン転移部
３４    ＭＰＵ
３５    デジタルアナログコンバータ
３６    アンプ部
３８    記憶部
５６    ブラックマトリクス部
【図１】
0005613365.tif 000002
【図２】
0005613365.tif 000003
【図３】
0005613365.tif 000004
【図４】
0005613365.tif 000005
【図５】
0005613365.tif 000006
【図６】
0005613365.tif 000007
【図７】
0005613365.tif 000008
【図８】
0005613365.tif 000009
【図９】
0005613365.tif 000010
【図１０】
0005613365.tif 000011
【図１１】
0005613365.tif 000012
【図１２】
0005613365.tif 000013
【図１３】
0005613365.tif 000014
【図１４】
0005613365.tif 000015
【図１５】
0005613365.tif 000016
【図１６】
0005613365.tif 000017
【図１７】
0005613365.tif 000018
【図１８】
0005613365.tif 000019
【図１９】
0005613365.tif 000020
【図２０】
0005613365.tif 000021
【図２１】
0005613365.tif 000022
【図２２】
0005613365.tif 000023